(57)【要約】【課題】運動時血圧測定などにおいて、腕帯が非常に汚れてしまったり、破損したりして、腕帯メンテナンスが頻繁に必要になる場合であって、装着性を考慮しつつ腕帯交換、腕帯修理等のメンテナンス作業が容易に行える腕帯を提供する。【解決手段】湾曲板によって装着補助手段を設けた上で、湾曲板、空気袋、振動検出手段、及び袋状外装部材を各パーツ毎に脱着できる脱着手段を設ける。【選択図】図６
2015066293.tif 000002
【特許請求の範囲】
【請求項１】
被験者の被測定部位に沿うように可撓性部材を用いて湾曲させた形状を有する湾曲板と、
空気を注入又は排出することで袋内を膨張又は収縮することのできる空気供給口を有する空気袋と、
前記被験者の血管の振動を検出する振動検出手段と、
前記湾曲板、前記空気袋、及び前記振動検出手段を内包する袋状外装部材と、
前記被験者の腕帯装着状態を保持する腕帯装着保持手段と、
前記湾曲板により、腕帯が円筒状に形付けられた腕帯装着補助手段と、
を有する腕帯において、
前記湾曲板、前記空気袋、前記振動検出手段、及び袋状外装部材を各パーツ毎に容易に脱着できる脱着手段を設けた
ことを特徴とする血圧測定用腕帯。
【請求項２】
前記袋状外装部材において、線ファスナー若しくは面ファスナー又はその両方を用いることで前記簡易脱着手段を設けた
ことを特徴とする請求項１に記載の血圧測定用腕帯。
【請求項３】
前記袋状外装部材の生地が撥水性を備えた生地である
ことを特徴とする請求項１乃至２に記載の血圧測定用腕帯。
【請求項４】
前記袋状外装部材の生地が洗濯耐久性を備えた生地である
ことを特徴とする請求項１乃至３に記載の血圧測定用腕帯。
【請求項５】
前記湾曲板、前記振動検出手段、及び前記空気袋が、一群のユニットとして取り扱うことができるように、前記湾曲板及び前記振動検出手段が取り付け可能となるユニット形成手段を前記空気袋に設けた
ことを特徴とする請求項１乃至４に記載の血圧測定用腕帯。
【発明の詳細な説明】
【技術分野】
【０００１】
本発明は、血圧測定装置に用いる腕帯に関するものであり、
特に、医療機関向けの腕帯の交換、修理、洗浄に係る腕帯構造に関するものである。
【背景技術】
【０００２】
従来より血圧を測定する方法は周知されており、代表的な方法は聴診法（リバロッチ・コロトコフ法）とオシロメトリック法の２つがある。
【０００３】
聴診法又はオシロメトリック法は、いずれもよく用いられている方法であり、病院などにおいて血圧測定する場合や家庭で使う電子式自動血圧計の多くに採用されている方法である。
【０００４】
電子式自動血圧計においては、近年、種類が豊富で操作も簡単さらに非常に安価なものまで市場に現れてきており、血圧測定自体の特殊性は低くなり、体重計や体温計等と並ぶ程度に自宅で日頃の健康状態を確認する身近な手法の一つとして、一般的に認知されるまでになっている。
【０００５】
一方、国民の高齢化が進む中、高血圧症など予防医学や最新医療の分野においては、高齢者を対象にした研究が数多く行われており、運動中に心拍や血圧がどのように変化するかをモニタする事は臨床研究上、大変有益な情報である。
【０００６】
また、これらの研究結果に基づく有益な情報を自動血圧計に搭載し市場で拡販することは、当該有益な情報が実際の各家庭や各病院施設等の身近で利用可能となることであり、しいては国民の健康増進を推し進めることにも繋がる。
【０００７】
そこで、これら有益な情報を得るため、運動時において、血圧測定を行うことができるシステムや血圧測定装置がある（例えば、特許文献１参照）。
【０００８】
こういった運動時の血圧測定では、被験者は当然に汗を掻くため、被験者の腕に装着された腕帯は非常に汚れてしまう。また、測定中若しくは測定前後において、被験者が腕を激しく振ったりする場合もあるため、腕帯の取り扱いは非常に過酷であり、測定頻度によっては、短期間で腕帯交換、腕帯修理等のメンテナンスが必要になる場合も多い。
【０００９】
また、臨床研究用に用いられる血圧測定では、得られる血圧値について高レベルの精度が求められるため、一般家庭で用いられているような簡易的な腕帯ではなく、各種機能を包含した特殊な腕帯が用いられることも多く、そのメンテナンスには特殊な技術を要するため、緊急を要する場合の迅速なメンテナンスを阻害する原因ともなっている。
【００１０】
しかし、特許文献１に代表される運動時血圧計において、腕帯については、運動時の信号検出方法に関して特別な技術を有するのみで、腕帯交換、腕帯修理等のメンテナンスについては、特段何ら注意は払われず、特別な工夫はなされていない。
【００１１】
一方、一般家庭等で用いられる自動血圧計については、安静状態で測定され、且つ、個人で用いられているため、特段、腕帯の衛生面について注意を払う必要性がない。このため、腕帯に対する防汚カバー等（例えば、特許文献６参照）は付属しているものの、腕帯自体の衛生面等を考慮し、これに対応しようとすると、腕帯自体を交換する以外に方法は無い（例えば、特許文献５参照）。
【００１２】
また、医療機関で使用される電子式自動血圧計においても、前述の家庭用と同じ構造であり、腕帯は原則として１個を不特定多数の被験者で使い回す方式である場合が多く、非常に不衛生な状態も懸念される。
【００１３】
一方、使い捨て式の空気袋と外装部材が一体となった一体型腕帯も存在しているが、簡易的な腕帯であるためその精度に難点があり、また、使い捨てとしては比較的価格が高価であるため使い捨ての腕帯を使い回すという事態も懸念される。
【００１４】
以上の問題点に対して対処したものとして、例えば特許文献３、又は特許文献４がある。
【００１５】
特許文献３は、外装部材にファスナーを取り付けることで、中身を脱着できるようし外装部材を洗濯可能にしたものであり、特許文献４は、外装部材のファスナー類を全て無くし、且つ、不織布で仕上げることで廉価なものとし、ディスポ化を図ったものである。
【００１６】
しかし、特許文献３、特許文献４は、何れも腕帯に係るもう一つの重要な要素である被験者に対する装着性については、何ら考慮されておらず、特許文献２にあるような湾曲板が内蔵されたカフにおいては使用することが困難である。
【先行技術文献】
【特許文献】
【００１７】
【特許文献１】特開平７−２６５２７４号公報
【特許文献２】特開昭６１−２３８２２９号公報
【特許文献３】特開２００１−３１４３８２号公報
【特許文献４】特開平７−０２３９１４号公報
【特許文献５】特開２０１０−０６９１９６号公報
【特許文献６】登録実用新案第３１３９５２１号公報
【発明の概要】
【発明が解決しようとする課題】
【００１８】
運動時血圧測定では、被験者は当然に汗を掻くため、被験者の腕に装着された腕帯は非常に汚れてしまう。また、測定中若しくは測定前後において、被験者が腕を激しく振ったりする場合もあるため、腕帯の取り扱いは非常に過酷であり、測定頻度によっては、短期間で高頻度の腕帯交換、腕帯修理等のメンテナンスが必要になる場合も多い。
【００１９】
しかし、これらの問題に対処し交換し易くしたものであって、且つ、被験者に対する装着性を考慮した腕帯が存在しない。
一方、装着性を考慮し湾曲板を挿入した腕帯では内蔵される部品が複雑で脱着が困難なため、メンテナンス作業が非常に困難であり、それゆえ、メンテナンスに特殊な技術を要することとなってしまい、緊急を要する場合などでは迅速なメンテナンスを阻害する原因ともなっている。
【００２０】
そこで、本発明の目的は、上記の課題を解決することであり、装着性を考慮しつつ腕帯交換、腕帯修理等のメンテナンス作業が行い易い腕帯を提供することである。
【課題を解決するための手段】
【００２１】
請求項１の発明は、本発明の血圧測定用腕帯が、
被験者の被測定部位に沿うように可撓性部材を用いて湾曲させた形状を有する湾曲板と、
空気を注入又は排出することで袋内を膨張又は収縮することのできる空気供給口を有する空気袋と、
前記被験者の血管の振動を検出する振動検出手段と、
前記湾曲板、前記空気袋、及び前記振動検出手段を内包する袋状外装部材と、
前記被験者の腕帯装着状態を保持する腕帯装着保持手段と、
前記湾曲板により、腕帯が円筒状に形付けられた腕帯装着補助手段と、
を有する腕帯において、
前記湾曲板、前記空気袋、前記振動検出手段、及び袋状外装部材を各パーツ毎に容易に脱着できる脱着手段を設けた
ことを主な特徴とする。
【００２２】
請求項２の発明は、請求項１に記載の血圧測定用腕帯が、
前記袋状外装部材において、線ファスナー若しくは面ファスナー又はその両方を用いることで前記簡易脱着手段を設けた
ことを特徴とする。
【００２３】
請求項３の発明は、請求項１乃至２に記載の血圧測定用腕帯が、
前記袋状外装部材の生地が撥水性を備えた生地である
ことを特徴とする。
【００２４】
請求項４の発明は、請求項１乃至３に記載の血圧測定用腕帯が、
前記袋状外装部材の生地が洗濯耐久性を備えた生地である
ことを特徴とする。
【００２５】
請求項５の発明は、請求項１乃至４に記載の血圧測定用腕帯が、
前記湾曲板、前記振動検出手段、及び前記空気袋が、一群のユニットとして取り扱うことができるように、前記湾曲板及び前記振動検出手段が取り付け可能となるユニット形成手段を前記空気袋に設けた
ことを特徴とする。
【発明の効果】
【００２６】
本発明によれば、容易に外装部材を脱着し交換可能となる事で、腕帯の衛生状態を簡単に保つこと及び迅速なメンテナンスをすることが可能となり、且つ、
腕帯装着をサポートする機能を有する腕帯であるため、被験者の装着作業に係る負担も軽減した腕帯を提供することが可能となる。
【図面の簡単な説明】
【００２７】
【図１】本発明による血圧測定用腕帯の実施例１の外観を示す斜視図（ａ）、展開図（ｂ）、及びＡ−Ａ’断面図（ｃ）である。
【図２】本発明による血圧測定用腕帯の空気袋を示す平面図（ａ）、及び側面図（ｂ）である。
【図３】本発明による血圧測定用腕帯の湾曲板を示す斜視図である。
【図４】本発明による血圧測定用腕帯の振動検出手段を示す平面図（ａ）、及び側面図（ｂ）である。
【図５】本発明による血圧測定用腕帯の袋状外装部材を示す平面図であり、被験者装着時に外側となる表面図（ａ）、及び被験者装着時に内側となる裏面図（ｂ）である。
【図６】本発明による血圧測定用腕帯の袋状外装部材から各パーツを脱着する時の様子を示す斜視図である。
【図７】本発明による血圧測定用腕帯を血圧測定器本体を接続し使用した時の構成を示す外観図（ａ）、及び実際の被験者が装着した時の様子を示す外観図（ｂ）である。
【図８】本発明による血圧測定用腕帯の使用時の構成を示す機能ブロック図である。
【図９】本発明による血圧測定用腕帯の実施例５において使用する空気袋の外観を示す平面図（ａ）、及び側面図（ｂ）である。
【発明を実施するための形態】
【００２８】
以下、本発明を実施するための形態について図面を参照して説明する。
【００２９】
なお、以下に記載する説明及び図面では、聴診法を使用した場合の血圧測定時の腕帯を記載しているが、聴診法による血圧測定とオシロメトリック法による血圧測定時の腕帯の構造的な差異は、
およそ図４に示す振動検出手段におけるセンサ４１が腕帯１１に位置するか血圧測定器本体７２に位置するかの差異であるため、今回、全ての構造を包含して説明できる聴診法を使用した場合を主に説明をすることとした。
【実施例１】
【００３０】
図１（ａ）は、本発明の請求項１に係る血圧測定用腕帯１１の１実施例の外観図である。図１（ｂ）は、実際には円筒形状をなす湾曲板１３が平板形状と仮定した場合の展開図であり、図１（ｃ）は、この場合の腕帯１１の中の内包する各パーツを理解し易いよう示した断面図である。
図２乃至５は、図１（ａ）の腕帯１１に係る各パーツを各パーツ毎に独立させて示した図である。
図６は、本発明の請求項１に係る腕帯１１において各パーツ毎に脱着する時の様子を示した図である。
図７（ａ）は、実際に腕帯１１を使用した時の１実施例の外観図であり、図７（ｂ）は、被験者が腕帯１１を装着した時の１実施例の外観図である。
図８は、図７（ａ）の使用時の構成を機能毎に分類して概略的に示した機能ブロック図である。
【００３１】
以下、本発明の請求項１に係る血圧測定用腕帯について図を用いて説明する。
まず始めに、使用時の全体構造について大まかに概要を説明する。
図７（ａ）及び図８に示すように、本発明の腕帯１１は、血圧測定器本体７２とは分離独立して設けられており、センサケーブル４２をセンサコネクタ４３によって、またブラダケーブル２２をブラダコネクタ２３によって血圧測定器本体７２に接続して使用する。
【００３２】
次に、本発明の腕帯１１の作動の様子を図８に基づき説明する。
本体７２に接続された腕帯１１を被験者７３に装着した後、腕帯１１に内包された空気袋１２の空気を、本体７２の加圧減圧ポンプ８３及び圧力センサ８２によって制御しながら注入又は排出することで、空気袋内を加圧又は減圧させる。
加圧又は減圧させる時、被験者の血管からは空気袋の圧力に応じた振動が発せられるため、振動検出ユニット１４によってその振動から得られた信号をＣＰＵ８１に送信する。
ＣＰＵ８１では、振動検出ユニット１４及び圧力センサ８２から得られた信号に基づき血圧値に変換する演算がなされ、得られた血圧値が本体７２に表示される。
【００３３】
なお、振動検出ユニット１４は、必ずしも腕帯１１に内包される必然性はなく、血圧値の精度、製造時の費用、測定手法、用途等によって振動検出ユニット１４の位置の変更は可能である。
【００３４】
例えば、安静時の測定の場合は、耐ノイズ性能は要求されないため、オシロメトリック法を採用して振動検出ユニット１４を圧力センサ８２に包含させた態様で廉価な腕帯を製作することができ、血圧値の測定精度が特に要求される場合は、振動検出ユニット１４を被験者の直近に位置させた聴診法を採用し、振動検出ユニット１４を外装部材１５内に位置させた図１に示すような腕帯の態様が好ましいと考えられる。なお、運動時に血圧を測定する場合は前記後段の態様が該当する。
【００３５】
さらに激しい運動をしながら測定する場合は、図７（ｂ）に示すように、センサケーブル４２とブラダケーブル２２が振り回されないようケーブルバンド７１を使って手首等に固定する。
ケーブルバンド７１を使用することで、腕帯が無駄に揺さぶられる事が減少し余計なノイズが減り、且つ運動中に常に邪魔となるケーブルが纏まることで、被験者のケーブルに払う意識も減り、被験者の負担も軽減される。
【００３６】
また、さらに精度を上げるためには、図８に示す心拍センサ８４を被験者に別途装着し血圧測定タイミングを心拍センサ８４から得られる信号と同期させることで、精度を上げることも可能となる。
なお、必要とする血圧値の精度に応じて、心拍センサ８４を心電センサに変更することも可能である。
【００３７】
次に、本発明の腕帯１１の構造を図１乃至５によって説明する。
図１（ａ）及び図１（ｂ）に示すように、腕帯１１は空気袋１２、湾曲板１３、振動検出ユニット１４、及び外装部材１５を有し、使用前乃至使用後において、何れも図１（ａ）に示すような円筒形状を維持しており、空気袋１２、湾曲板１３、及び振動検出ユニット１４は何れも外装部材１５の中に内包されている。
実質的に使用状態において、視認できるのは、外装部材１５とセンサケーブル４２、ブラダケーブル２２のみである。
【００３８】
図３に示す湾曲板１３は、腕帯の円筒形状を維持させるための部材であり、外装部材１５の中に挿入されている。
湾曲板１３は、可撓材からなる平板を腕帯の大きさに応じたサイズにカットした後、当該円筒状に曲げ熱処理することで成形されるが、射出成形方法又は熱プレス成形方法によっても同様に成形することもできる。円筒を成す径は、腕帯の種類に応じて各種サイズを揃えておく。
使用する可撓材は、当該円筒形状に係る加工性、使用時の可撓性、形状維持力、耐久性及び価格によって材質、材料の厚み、及び硬度を選定する。
可撓材の材質は、樹脂であれば、例えばポリプロピレン、ポリエチレン、ポリスチレン、塩化ビニル等、ゴム又はゴム複合材であれば、例えばシリコーンゴム、ＥＰＤＭエラストマー等が挙げられるが、前記に挙げた材料以外であって当該用途に沿うものであれば使用することが可能である。
【００３９】
図２に示す空気袋１２は、腕帯を加圧又は減圧させるための部材であり、外装部材１５の中に挿入されている。図２（ａ）は空気袋１２の正面図であり、図２（ｂ）は空気袋１２の側面図である。
図２（ａ）において、ブラダコネクタ２３からブラダケーブル２２を通じてブラダ２１に空気を注入又は排出することで、腕帯を加圧又は減圧することができる。
ブラダ２１の大きさの目安は、一般に公開され知られており、ＪＩＳ  Ｔ  １１１５−２００５−５．４又はＪＩＳ  Ｔ  ４２０３−１９７６又はＷＨＯ  Ｅｘｐｅｒｔ  Ｃｏｍｍｉｔｔｅｅの報告書又はＷＴＯ勧告による報告書などで確認ができ、その大きさは、新生児、幼児、小児、成人、肥満者等によって使い分ける。
したがって、これが挿入される外装部材１５や湾曲板１３等のサイズもブラダ２１のサイズに合わせる。
ブラダ２１は、射出成形方法、ゴム成形方法、又は熱プレス成形方法によって袋状に成形され、事前に成形したチューブ状のブラダケーブル２２をブラダ２１に溶着、接着、又は一体成形することで取り付ける。
ブラダ２１の材質は、伸縮するに耐え得る樹脂又はゴム又はゴム複合材であれば使用可能であるが、特に伸縮を繰り返す部材であるため伸縮に対する耐久性については特に注意を払う必要がある。これら材質は、例えば、天然ゴム、シリコーンゴム等が考えられるが、僅かでも人体に接触する可能性がある部分でもあるため、材質選定等は特に注意が必要である。
【００４０】
あと空気袋１２には、ブラダ２１とブラダケーブル２２を接続する部分に別途箱状のブラダ連結ボックス２４を配置させる。ブラダ連結ボックス２４はブラダ２１の一部でもあり、図２（ａ）においてブラダ２１を凸状に変形させた部分のことを指す。
この当該ブラダ連結ボックス２４をブラダ２１に配置することでブラダケーブル２２の連結部分を補強することができる。
【００４１】
図４に示す振動検出ユニット１４は、血管の振動を検出するためのセンサ機能を有する部材であり、外装部材１５の中に挿入されている。図４（ａ）は当該部材の正面図であり、図４（ｂ）は当該部材の側面図である。
図４（ａ）において、センサ４１からセンサケーブル４２を通じて本体７２に当該検出した信号を送信する。
図４に示す振動検出ユニット１４では、センサ４１の数は３つであるが、その数は増減させることができ、最低１つから振動検出は可能であり、用途及び送信するチャンネル数に合わせて増やすことが可能である。
また、外装部材１５の中でセンサ４１の位置を確定させる必要があるので、図５（ｂ）に示すセンサポケット５６によってセンサ４１を固定する。ここで、センサ４１は図４（ｂ）に示すとおり若干厚みがあるため、センサ４１の周囲をセンサポケット５６で満たすことにより、装着時の異物感を取り除く手段を講じている。
図４では３つのセンサ４１を各々分離させているが、一枚のプレート状にセンサ４１を３つ並べることで図４と同様の機能を持たせることもできる。
【００４２】
図５に示す外装部材１５は、図２乃至図４に示す部材を包含し一体として血圧測定用腕帯として機能させるための部材である。図５（ａ）は当該部材の表面図であり装着時は当該腕帯の外側に位置する面となり、図５（ｂ）は当該部材の裏面図であり装着時は当該腕帯の人体側に位置する面となる。
被験者に巻き付け固定するために、図５（ｂ）の装着ファスナＡ  ５１と図５（ａ）の装着ファスナＢ  ５２を設ける。このファスナには脱着作業が楽となるように面ファスナを使用する。
図５のセンサポケット５６の機能は前述したとおりであるが、ここでセンサマーカ５７を、センサポケット５６の位置で外部から視認できる図５に示すような位置に設けると、装着時においてセンサ４１の位置が明確になる。よって、精度良く慎重に血圧測定をしたい時など、センサ４１と被験者の血管の位置とを合わせる作業がし易くなる。
また、図５に示すコード留め５５とコード留めファスナ５８は、ケーブル導出位置に設けられており、図１（ａ）に示すように各ケーブルに巻きつけて使用する。これにより、ケーブル導出箇所のケーブルを一束に取りまとめることが可能となる。
【００４３】
図１（ａ）は図２乃至図４に示す部材を組み立てて一体にした時の実際の外観図であり図１（ｂ）はその展開図である。
図１（ｂ）において、湾曲板１３、空気袋１２のブラダ２１、及び振動検出ユニット１４のセンサ４１は各々決められた位置で重なる状態となり配置される。
なお、各部材の重なり具合によってセンサ４１から得られる血管の振動は変化するため、事前の設計段階において、得られる血圧値の精度が最適な状態になるように各々の位置をあらかじめ調節しておく。なお、各部材の配置は、展開図である図１（ｂ）及び断面図である図１（ｃ）に示すとおりであるが、図に示す配置はその１実施例である。
【００４４】
ここで、組み立て後の腕帯は図１（ａ）に示すとおり立体的な円筒形状を保っているため、この状態で各部材を脱着するのは非常に困難である。
【００４５】
そこで、図５（ａ）に示す外装脱着ファスナＡ  ５３ａ及び外装脱着ファスナＢ  ５３ｂを外装部材１５に設けることで、立体的な円筒形状のままであっても、外装部材１５に挿入された各部材の脱着が可能となった。
５３ａ、５３ｂは、あえて判り易いようにファスナと名称をつけて説明しているが、仕様や態様について特に指定はなく、ボタン等による封止手段であっても良い。
【００４６】
また、事前の設計段階において、ファスナ５３ａ、５３ｂの長さと装着ファスナＡ  ５１の大きさとのバランスを取り、装着ファスナＡ  ５１の使用に全く影響ないよう調整することにより、５３ａ、５３ｂに封止手段を設けず開口したままであっても問題なく使用することが可能となる。
この場合、５３ｂの開口部において、外装部材１５から各パーツを脱着する際に、脱着時に開閉する生地の一端を５３ｂから外装部材１５の内部へ差し込めるように長めに設けておくと簡単に開口しなくなるため使用時に都合が良い。
【００４７】
図６は、本発明による各部材の脱着時の外観図の１実施例である。
ここで、湾曲板１３を取り外したとしても、形状が安易に崩れて他の部材が脱着し難くならないよう、また、湾曲板１３も容易に脱着できるよう、装着ファスナＢ  ５２が存する範囲であり図５（ａ）における上端と下端に細長い可撓性の円状の芯材を外装部材１５に事前に挿入している。
芯材の材質は湾曲板１３と同じ材料であるが特に指定はなく同効果が生じるのであれば他の材質であっても良く、そのサイズや生じる弾性は脱着時に問題がない程度で良い。
【００４８】
よって、本発明によれば、容易に外装部材を脱着し交換可能となる事で、腕帯の衛生状態を簡単に保つこと及び迅速なメンテナンスをすることが可能となり、且つ、
腕帯装着をサポートする機能を有する腕帯であるため、被験者の装着作業に係る負担も軽減した腕帯を提供することが可能となる。
【実施例２】
【００４９】
次に本発明の請求項２に記載の血圧測定用腕帯について図５に基づき説明する。
図５（ａ）は運動時の血圧測定で使用されるなど、非常に過酷な状況対応させた１実施例である。
【００５０】
外装脱着ファスナＡ  ５３ａ、外装脱着ファスナＢ  ５３ｂは線ファスナ又は面ファスナを用いる。特に線ファスナを使用した場合は、ファスナの金具が邪魔になるが、金具隠し５４を設けて外観上異物が確認できないようにしている。
これにより、過酷な使用状況であっても簡単に開口部が開口しないようにすることが可能となる。
【実施例３】
【００５１】
次に本発明の請求項３に記載の血圧測定用腕帯について説明する。
外装部材１５に係る生地に撥水性能を有する生地を使用することで、汚れ防止効果を設けることができる。
このことにより、腕帯に従来より必要とされていた別途付属の防汚カバーが不要となり、腕帯の汚れにより外装部材１５を交換する頻度も少なくなるため経済的である。
【００５２】
また、運動時等で発汗しても腕帯が汗を吸収し難いため、表面に浮いた汗を拭き取るだけで容易に腕帯の清浄を保つことができる。
【００５３】
一方、汗は、通常の状態で弱酸性を示すが、激しい運動をした場合等ではアルカリ性を示すことがある。このため、汗が外装部材１５に大量に染み込み放置してしまった場合、その生地が耐酸性、耐アルカリ性の両性能を有していなければ、生地が汗により早期に侵されてしまい破損してしまうので、外装部材１５を早期に交換しなければならなくなる。また、耐酸性、耐アルカリ性を有する特殊な生地を使用したとすると高価となり経済的ではない。ここで、撥水性能を有する生地を使用すると、汗が生地に染み込んだ状態で長期に渡って放置されることもなくなるため、生地が汗により侵されることは減り、よって腕帯の使用寿命が長くなり経済的である。
【００５４】
撥水性能を有する生地は、特に材質は問わないが、実際の使用状況から想定される実験を踏まえた上で決定することが好ましい。なお、撥水性能はＪＩＳ−Ｌ−１０９２で評価された特性を表す数値でおよその評価をすることができ、本願発明の１実施例においては、撥水度を３乃至４級以上、耐水度を６０００以上ので評価される生地を使用している。
【実施例４】
【００５５】
次に本発明の請求項４に記載の血圧測定用腕帯について説明する。
外装部材１５に係る生地に洗濯耐久性を有する生地を使用することで耐磨耗性、耐候性を挙げる効果を設けることができる。
【００５６】
このことにより、単に腕帯を清浄に保つための洗濯に対して外装部材１５の使用寿命が長くなるだけではなく、激しい運動をした時に腕帯が激しく擦られる場合や、屋外で運動した場合などで、外装部材１５の破損や劣化の頻度を減らし、腕帯の使用寿命を長くすることができるため経済的である。
【実施例５】
【００５７】
次に本発明の請求項５に記載の血圧測定用腕帯について説明する。
図９は、本発明の請求項５に係る空気袋１２の１実施例である。図９（ａ）は、当該空気袋１２の正面図であり、図９（ｂ）は、当該空気袋１２の側面図である。
【００５８】
当該空気袋１２は、図２と同様にブラダ２１、ブラダケーブル２２、ブラダコネクタ２３、ブラダ連結ボックス２４を有するが、さらにこれに加えて、ブラダ一体型センサポケット９１、湾曲板ガイド９２、センサケーブルクリップ９３を設けている。
【００５９】
ブラダ一体型センサポケット９１は、図４で示す振動検出ユニット１４を取り付け固定できる機能を有し、湾曲板ガイド９２は、図３で示す湾曲板１３を取り付け固定できる機能を有し、センサケーブルクリップ９３は、図４で示すセンサケーブル４２を取り付け固定することでブラダケーブル２２と一体となって取り扱いができる機能を有する。
当該空気袋１２は、事前に図２に示すブラダ１２を作っておき、そこにブラダ一体型センサポケット９１、湾曲板ガイド９２、センサケーブルクリップ９３を溶着又は接着することによって製作する。
【００６０】
または、ブラダ２１を製作する際に、ブラダ２１とブラダ一体型センサポケット９１、湾曲板ガイド９２が一体になったものを、射出成形方法、ゴム成形方法、又は熱プレス成形方法によって袋状に成形しておき、別途事前に成形したセンサケーブルクリップ９３付きのチューブ状のブラダケーブル２２をブラダ２１に溶着、接着、又は２次成形することで取り付ける。いずれも材質は、図２の空気袋１２と同じ材質が経済的である。
【００６１】
当該空気袋１２は、外装部材１５に挿入することで図１（ａ）に挙げる腕帯１１として使用できる。
【００６２】
当該空気袋１２を使用することで、図６に示す交換対象となった各パーツがかさばらず、空気袋１２、湾曲板１３、振動検出ユニット１４の全てのパーツが一群のユニットとして取り扱うことができ、１回の脱着作業で当該部材の交換を終えることができるため、交換作業として非常に簡単になる。
【実施例６】
【００６３】
なお、図は無いが、図９の空気袋１２の別の構造の１実施例として、湾曲板１３と湾曲板ガイド９２の代わりに、ブラダ２１の一部である片面をブラダ２１と異材質の可撓材で製作し湾曲板１３の機能を包含したブラダ２１を製作することもできる。
これによって、湾曲板１３自体がブラダ２１に包含されるため不要となり経済的であり、腕帯のメンテナンスにおける部材の脱着も極めてやり易くなる。
【００６４】
今回開示した実施例の形態は代表的な例示であって、あえて制限を付記したものではない。また、本発明の範囲は上記した説明ではなく特許請求の範囲によって当然に示され、特許請求の範囲と均等の範囲内におけるすべての変更が含まれることも当然に意図している。
【符号の説明】
【００６５】
１１  腕帯
１２  空気袋
１３  湾曲板
１４  振動検出ユニット
１５  外装部材
２１  ブラダ
２２  ブラダケーブル
２３  ブラダコネクタ
２４  ブラダ連結ボックス
４１  センサ
４２  センサケーブル
４３  センサコネクタ
５１  装着ファスナＡ
５２  装着ファスナＢ
５３ａ 外装脱着ファスナＡ
５３ｂ 外装脱着ファスナＢ
５４  金具隠し
５５  コード留め
５６  センサポケット
５７  センサマーカ
５８  コード留めファスナ
７１  ケーブルバンド
７２  血圧測定器本体
７３  被験者
８１  ＣＰＵ
８２  圧力センサ
８３  加圧減圧ポンプ
８４  心拍センサ
９１  ブラダ一体型センサポケット
９２  湾曲板ガイド
９３  センサケーブルクリップ
【図１】
2015066293.tif 000003
【図２】
2015066293.tif 000004
【図３】
2015066293.tif 000005
【図４】
2015066293.tif 000006
【図５】
2015066293.tif 000007
【図６】
2015066293.tif 000008
【図７】
2015066293.tif 000009
【図８】
2015066293.tif 000010
【図９】
2015066293.tif 000011